(57)【要約】【課題】ハンガーを必要としないときはインテリアとして用いることができ、必要なときにハンガーとして使用できるハンガー本体を提供する。【解決手段】衣類を干す際に用いられるハンガー本体１０。ハンガー本体１０は、本体部２０と、各先端が本体部２０から互いに相反する方向に伸びるように本体部２０に内蔵された一対の棒状伸縮部材３０、３０と、それぞれが、弾性変形可能な長尺体、及び、前記長尺体の一方から格納することができるように本体部２０に内蔵された格納部を有する一対の肩掛け部と４０、４０を備える。ハンガー本体１０は前記長尺体の他方に各棒状伸縮部材の先端に係止可能な係止手段を有する。前記格納部は、各棒状伸縮部材が前記本体部から伸びた状態及び前記長尺体が前記格納部から伸びた状態において、前記係止手段が各棒状伸縮部材の先端に係止され、前記衣類の肩掛け部分を形成する。【選択図】図１
2007289295.tif 000002
【特許請求の範囲】
【請求項１】
衣類を干す際に用いられるハンガー本体であって、
本体部と、
伸縮可能な一対の棒状伸縮部材であって各棒状伸縮部材の先端が前記本体部から互いに相反する方向に伸びるように前記本体部に内蔵された一対の棒状伸縮部材と、
それぞれが、弾性変形可能な長尺体及び前記長尺体の一方から格納することができるように前記本体部に内蔵された格納部を有する一対の肩掛け部と、
前記長尺体の他方に設けられ各棒状伸縮部材の先端に係止可能な係止手段とを備え、
前記格納部は、各棒状伸縮部材が前記本体部から伸びた状態及び前記長尺体が前記格納部から伸びた状態において、前記係止手段が各棒状伸縮部材の先端に係止され、前記衣類の肩掛け部分を形成する、衣類用ハンガー本体。
【請求項２】
前記本体部は、ほぼ同一の厚さを有する板状の形状を有しており、
前記一対の棒状伸縮部材は、それぞれ、前記本体部の相対する側面から互いに相反する方向に伸びることができるように、前記本体部に内蔵された、請求項１に記載の衣類用ハンガー本体。
【請求項３】
前記一対の肩掛け部の長尺体は、それぞれ、前記本体部の相対する側面であって前記相反する方向と所定の間隔をおいた平行の直線が交わる側面の位置から伸びる請求項２に記載の衣類用ハンガー本体。
【請求項４】
前記格納部は、前記長尺体を巻く巻き上げ機構を有し、
前記巻き上げ機構は、該巻き上げ機構から巻き解かれた部分の長尺体に所定の張力を付与する、請求項１から３のいずれかに記載の衣類用ハンガー本体。
【請求項５】
前記巻き上げ機構は、前記長尺体が巻き解かれたとき、前記長尺体を巻く復元力を生じるぜんまいばねを有し、
前記本体部は前記巻き上げ機構を停止又は作動させるボタンを有する請求項４に記載の衣類用ハンガー本体。
【請求項６】
前記本体部は、その一方の側面に有磁性の部材にくっつく永久磁石を有する請求項１から５のいずれかに記載の衣類用ハンガー本体。
【請求項７】
前記一方の側面には凹部が形成されており、
前記永久磁石は前記凹部に設けられている請求項６に記載の衣類用ハンガー本体。
【請求項８】
前記本体部は、前記一方の側面の反対側に位置する他方の側面であって前記一方の側面に密接可能な形状を有する他方の側面を有し、
前記他方の側面は前記凹部にほぼ密接する凸部を有する請求項７に記載の衣類用ハンガー本体。
【請求項９】
前記凸部は有磁性の部材で形成されている請求項８に記載の衣類用ハンガー本体。
【請求項１０】
前記本体部は、前記一方の側面の反対側に位置する他方の側面であって前記一方の側面に密接可能な形状を有する他方の側面を有する請求項１から６のいずれかに記載の衣類用ハンガー本体。
【請求項１１】
前記長尺体は、リボン、紐又はテープである請求項１から１０のいずれかに記載の衣類用ハンガー本体。
【請求項１２】
各棒状伸縮部材はロッドアンテナである請求項１から１１のいずれかに記載の衣類用ハンガー本体。
【請求項１３】
前記本体部は表面に広告を表示することができる広告取付部を有する請求項１から１２のいずれかに記載の衣類用ハンガー本体。
【請求項１４】
請求項１から１３のいずれかに記載の衣類用ハンガー本体と、前記本体部に取り付けられるハンガーフックとを備えたハンガー。
【発明の詳細な説明】
【技術分野】
【０００１】
本発明は、衣類用ハンガー本体及びそれを備えたハンガーに関する。
【背景技術】
【０００２】
従来、この種の衣類用ハンガーは、本体部と、本体部を竿などに吊すために本体部に設けられたフック部と、それぞれの先端が本体部から互いに相反する方向に伸びるように本体部に設けられ湾曲状に形成された一対のアーチ状部材とを備える。この一対のアーチ状部材には、衣類が掛けられる。
【０００３】
衣類用ハンガーには、季節が変わるたびに、新しい季節やその季節の流行にあった衣類が掛けられる。しかし、衣類用ハンガーは、普遍的で完成された日常品として消費者に認識されているので、衣類を掛けるという機能のみを充足するために必要な形状を有している。
【０００４】
例えば、特許文献１に記載のハンガーは、一本のハンガーにて大きさの異なる上着、ジャケットあるいは着物まで好適な幅径にて対応することができるとともに、好適な幅径設定に際しても何等の苦労を要さずとも迅速かつ容易に行うことができ、またいったん設定された好適な幅径は確実に固定化することができ、さらにはいったんハンガーに係止されたジャケット、背広等の上着類を確実に係止するためのすべり止め効果、あるいはズボン係止効果も充分に発揮するように形成されている。
【特許文献１】特開２００２−３３０８５７号公報
【発明の開示】
【発明が解決しようとする課題】
【０００５】
本発明は、ハンガーを必要としないときは、インテリアとして用いることができ、必要なときにハンガーとして使用できるハンガー本体を提供することを目的とする。
【課題を解決するための手段】
【０００６】
本発明に係るハンガー本体は、衣類を干す際に用いられる。ハンガー本体は、本体部と、伸縮可能な一対の棒状伸縮部材であって各棒状伸縮部材の先端が前記本体部から互いに相反する方向に伸びるように前記本体部に内蔵された一対の棒状伸縮部材と、それぞれが、弾性変形可能な長尺体及び前記長尺体の一方から格納することができるように前記本体部に内蔵された格納部を有する一対の肩掛け部と、前記長尺体の他方に設けられ各棒状伸縮部材の先端に係止可能な係止手段とを備える。前記格納部は、各棒状伸縮部材が前記本体部から伸びた状態及び前記長尺体が前記格納部から伸びた状態において、前記係止手段が各棒状伸縮部材の先端に係止され、前記衣類の肩掛け部分を形成する。
【発明の効果】
【０００７】
本発明に係るハンガー本体によれば、各棒状伸縮部材が本体部から伸びた状態及び長尺体が格納部から伸びた状態で、衣類を長尺体に掛けることができるので、ハンガーとして機能する。さらに、一対の棒状伸縮部材が本体部に内蔵されており、かつ、格納部が本体部に内蔵されているので、ハンガー本体をハンガーとして使用しないときは、棒状伸縮部材及び長尺体を本体部に格納することができる。このため、本体部は、本体部の形状を意匠的な形状にすることにより、インテリアとして用いることができる。
【０００８】
前記本体部は、ほぼ同一の厚さを有する板状の形状を有しており、前記一対の棒状伸縮部材は、それぞれ、前記本体部の相対する側面から互いに相反する方向に伸びることができるように、前記本体部に内蔵されてもよい。
【０００９】
前記一対の肩掛け部の長尺体は、それぞれ、前記本体部の相対する側面であって前記相反する方向と所定の間隔をおいた平行の直線が交わる側面の位置から伸びるようにしてもよい。
【００１０】
前記格納部は、前記長尺体を巻く巻き上げ機構を有し、前記巻き上げ機構は、該巻き上げ機構から巻き解かれた部分の長尺体に所定の張力を付与するようにしてもよい。そのようにすることにより、衣服が掛かる長尺体には、常に張力が付与されるので、衣服の片の形状を適切な状態に維持することができる。
【００１１】
前記巻き上げ機構は、前記長尺体が巻き解かれたとき、前記長尺体を巻く復元力を生じるぜんまいばねを有し、前記本体部は前記巻き上げ機構を停止又は作動させるボタンを有するようにしてもよい。そのようにすることにより、長尺体を格納部に格納するときだけ、巻き上げ機構を作動させることができる。
【００１２】
前記本体部は、その一方の側面に有磁性の部材にくっつく永久磁石を有するようにしてもよい。そのようにすることにより、ハンガー本体を、鉄のような有磁性の竿に直接取り付けることができる。
【００１３】
前記一方の側面には凹部が形成されており、前記永久磁石は前記凹部に設けられているようにしてもよい。そのようにすることにより、上述の竿が凹部に配置されるので、より確実にハンガー本体が竿等に取り付けることができる。
【００１４】
前記本体部は、前記一方の側面の反対側に位置する他方の側面であって前記一方の側面に密接可能な形状を有する他方の側面を有し、前記他方の側面は前記凹部にほぼ密接する凸部を有するようにしてもよい。そのようにすることにより、本発明に係るハンガー本体と同等のハンガー本体を、凹部と凸部とが連結するように、連続させて配置させることができる。
【００１５】
前記凸部は有磁性の部材で形成されているようにしてもよい。そのようにすることにより、凸部と凹部とは、凹部に設けられた永久磁石により確実に、組み付けられる。
【００１６】
前記本体部は、前記一方の側面の反対側に位置する他方の側面であって前記一方の側面に密接可能な形状を有する他方の側面を有するようにしてもよい。
【００１７】
前記長尺体は、リボン、紐又はテープとしてもよい。また、各棒状伸縮部材は、ロッドアンテナとしてもよい。
【００１８】
前記本体部は、表面に広告を表示することができる広告取付部を有するようにしてもよい。
【００１９】
上述の衣類用ハンガー本体は、前記本体部に取り付けられるハンガーフックを備えることによりハンガーとして用いることができる。
【発明を実施するための最良の形態】
【００２０】
以下、本発明の実施形態について図面を参照しながら説明する。
【００２１】
図１から図９に示すように、ハンガー本体１０は、衣類を干す際に用いられる。図１及び図２に示すように、ハンガー本体１０は、本体部２０と、伸縮可能な一対の棒状伸縮部材３０、３０と、一対の肩掛け部４０、４０とを備える。棒状伸縮部材３０は、ロッドアンテナを例として用いている。
【００２２】
図３及び図４に示すように、本体部２０は、ほぼ同一の厚さを有する板状の形状を有する。本体部２０の平面形状は、周囲を形成する４つの頂部２１ａ、２１ｂ、２１ｃ、２１ｄと凹部２７と凸部２８とを有するいわゆる人形形状とされている。換言すると、凸部２８は人形の頭の部分に相当し、凹部２７は人形の股の部分に相当し、頂部２１ａ、２１ｂは人形の左右の手の部分に相当し、頂部２１ｃ、２１ｄは人形の左右の足の部分に相当する。凸部２８の表裏の少なくとも一方には、可愛らしい模式化した顔のデザインが施されている。したがって、本体部２０は、全体で、可愛らしい人形を形成している。
【００２３】
本実施形態では、本体部２０の外周は、頂部２１ａと頂部２１ｄとの間の側面２０ａ、頂部２１ｂと頂部２１ｃとの間の側面２０ｂ、頂部２１ａと頂部２１ｂとの間の側面２０ｃ、及び、頂部２１ｃと頂部２１ｄとの間の側面２０ｄで形成されている。
【００２４】
図３及び図４に示すように、本体部２０は、本体部２０のほぼ中央に形成された格納部４５と、本体部２０の相対する側面２０ａ及び２０ｂのうち、相反する方向Ｘと所定の間隔Ｙをおいた平行の直線Ｘ’が交わる側面に形成された一対の開口４８、４８と、格納部４５と開口４８とを連通する導通路４７、４７とを有する。
【００２５】
一対の棒状伸縮部材３０及び３０は、それぞれ、本体部２０の相対する側面２０ａ及び２０ｂから互いに相反する方向Ｘに伸びることができるように、本体部２０に内蔵されている。棒状伸縮部材３０は、棒状伸縮部材３０の先端３１が本体部２０から互いに相反する方向Ｘに伸びるように本体部２０に内蔵されている。したがって、図３及び図４に示すように、一対の棒状伸縮部材３０及び３０を収納した状態では、一対の棒状伸縮部材３０及び３０のほとんどの部分は、本体部２０の内部に収納されている。
【００２６】
棒状伸縮部材３０は、互いに直径が異なる複数のパイプと最小径の端部に形成される円柱形状の先端３１とを有する。図１に示すように、棒状伸縮部材３０が伸びるとき、複数のパイプは、互いにスライドして、隣接するパイプが互いの端部でオーバーラップしている状態になる。
【００２７】
図１、図２及び図４に示すように、肩掛け部４０は、弾性変形可能な長尺体４１と、長尺体４１の一方から格納することができるように本体部２０に内蔵された格納部４５とを有する。また、ハンガー本体１０は、さらに、長尺体４１の他方に棒状伸縮部材３０の先端３１に係止可能な係止手段４６を有する。係止手段４６は、長尺体４１の他方に形成されているが、棒状伸縮部材３０の先端３１に形成されていてもよい。
【００２８】
係止手段４６は、円柱形状の外形を有し、その中央に先端３１に嵌合可能な凹部が形成されている。しかし、棒状伸縮部材３０の先端３１と長尺体４１の他方とが互いに離れなければ、着脱自在の粘着剤を用いたり、複数のフックと複数のル−プを備えた複数の支持体からなるファスナーを用いたりしてもよい。長尺体４１としては、リボン、紐又はテープを用いることが好ましい。
【００２９】
図４に示すように、格納部４５には、一対の長尺体４１の他方から巻き取る巻き取り軸５２が回転自在に組み付けられている。一対の肩掛け部４０及び４０の長尺体４１及び４１は、それぞれ、一対の開口４８、４８から導通路４７を介して格納部４５にある巻き取り軸５２に巻かれている。また、一方の長尺体４１は、本体部２０の内部に設けられた巻き取り軸５２に、他方の長尺体４１は、ガイド５４に摺動したのちに巻き取り軸５２に同一方向に巻かれている。したがって、一方の長尺体４１を引っ張り出すともう一方の長尺体４１も同調して巻き解かれる。
【００３０】
巻き上げ機構５０は、長尺体４１が巻き解かれたとき、長尺体４１を巻く復元力を生じるぜんまいばねを有し、また、本体部２０は巻き上げ機構５０を停止又は作動させるボタン５１を有する。ボタン５１は、巻き取り軸５２の軸線上に配置されている。ボタン５１が押下されると、ボタン５１の下に配置されているぜんまいばねの巻き上げを解除する。これにより、一対の長尺体４１は、ぜんまいばねの巻き上げ力によって、巻き取り軸５２に巻かれる。したがって、使用者がボタン５１を押せば、一対の長尺体４１は格納部４５に格納される。
【００３１】
つまり、図２に示すように、ハンガー本体部１０をハンガーとして使用するときは、先ず、棒状伸縮部材３０を本体部２０から伸ばした状態にし、ついで、長尺体４１を格納部４５から導通路４７、及び、側面２０ａ、２０ｂに形成されている開口４８を介して、引き出し、係止手段４６を先端３１に係止させた状態にする。
【００３２】
これにより、肩掛け部分４０は一般的なハンガーの形状である背の低い二等辺三角形を形成するので、ハンガー本体部１０はハンガーとして使用することができる。
【００３３】
格納部４５は、一対の長尺体４１、４１を巻く巻き上げ機構５０を有する。巻き上げ機構５０は、一対の長尺体４１、４１を共通の巻き取り軸５２に同一方向に巻いているので、一方の長尺体４１を引っ張り出すと他方の長尺体４１も引っ張り出される。
【００３４】
巻き上げ機構５０から巻き解かれた部分の長尺体４１に所定の張力を付与するようにしている。そのようにすることにより、図２に示すように、衣服が掛かる長尺体４１には、常に張力が付与されるので、衣服の片の形状を適切な状態に維持することができる。
【００３５】
本体部２０は、一方の側面２０ｃに形成された半円柱形状の凹部２７に有磁性の部材にくっつく永久磁石６０を有する。図６及び図７に示すように、永久磁石６０が鉄のような有磁性の竿８０にくっつくことにより、竿８０が凹部２７に配置されるので、ハンガー本体１０を竿８０に直接取り付けることができる。
【００３６】
本体部２０は、一方の側面２０ｃの反対側に位置する他方の側面２０ｄであって一方の側面２０ｃに密接可能な形状を有する他方の側面２０ｄを有し、他方の側面２０ｄは凹部２７にほぼ密接する凸部２８を有するようにしてもよい。そのようにすることにより、本発明に係るハンガー本体１０と同等のハンガー本体１０’とを、ハンガー本体１０’の凹部２７とハンガー本体１０の凸部２８とが連結するように、連続させて配置させることができる。これにより、コレクタの収集意欲をかきたてる。
【００３７】
ハンガー本体１０の凸部２８は鉄のような有磁性の部材６１で形成されているので、ハンガー本体１０の凸部２８は、ハンガー本体１０’の凹部２７に設けられた永久磁石６０により確実に、ハンガー本体１０’の凹部２７に組み付けられる。
【００３８】
本体部２０は、一方の側面２０ｃの反対側に位置する他方の側面２０ｄであって一方の側面２０ｃに密接可能な形状を有する他方の側面２０ｄを有する。
【００３９】
図３に示すように、本体部２０は、表面に広告を表示することができる広告取付部２９を有するようにしてもよい。
【００４０】
図８及び図９に示すように、上述のハンガー本体１０は、本体部２０に取り付けられる鉄のような有磁性のハンガーフック９０を備えることにより、木のような非磁性の竿８１に用いることができる。ハンガーフック９０は、凹部２７に配置された永久磁石６０の磁力によって凹部２７にくっついている。
【００４１】
以上のハンガー本体１０は、棒状伸縮部材３０を本体部２０から伸ばした状態及び長尺体４１を格納部４５から伸ばした状態にし、さらに、前記係止手段を各棒状伸縮部材３０の先端３１に係止させることにより、ハンガーとして機能する。また、棒状伸縮部材３０及び長尺体４１をそれぞれ本体部２０及び格納部４５に納めることにより、ハンガー本体１０の外見は、本体部２０とほぼ同じになり、ハンガーの面影がほとんどないので、アクセサリとして用いることができる。
【００４２】
換言すれば、ハンガー本体１０によれば、棒状伸縮部材３０が本体部２０から伸びた状態及び長尺体４１が格納部４５から伸びた状態で、衣類を長尺体４１に掛けることができるので、ハンガーとして機能する。さらに、一対の棒状伸縮部材３０が本体部２０に内蔵されており、かつ、格納部４５が本体部２０に内蔵されているので、ハンガー本体をハンガーとして使用しないときは、棒状伸縮部材３０及び長尺体４１を本体部２０に格納することができる。このため、本体部は、本体部の形状を意匠的な形状にすることにより、インテリアとして用いることができる。
【００４３】
また、ハンガー本体１０をハンガーとして使用しない場合には、本体部２０の表面にあるボタン５１を押して、長尺体４１を格納部４５に格納させる。さらに、棒状伸縮部材３０を本体部２０の内部に収納させる。これにより、ハンガー本体１０の外形は、ほぼ本体部２０の外形と同じになり、コンパクトになる。本体部２０の外形は、上述のように、可愛らしい人形の形状を有しているので、インテリアとして使用することができる。
【００４４】
また、ハンガー本体１０は、これと同じハンガー本体に縦方向に積み上げて置くことができるので、様々なアレンジをすることができる。さらに、ハンガー本体１０の色違いを多数用意することで、コレクタの収集意欲を刺激することができる。
【００４５】
なお、本発明の実施例に記載された効果は、本発明から生じる最も好適な効果を列挙したに過ぎず、本発明による効果は、本発明の実施例に記載されたものに限定されるものではない。
【図面の簡単な説明】
【００４６】
【図１】本発明に係るハンガー本体の一実施例を示す斜視図である。
【図２】図１に示すハンガー本体の正面図である。
【図３】図１に示すハンガー本体の長尺体及び棒状伸縮部材を格納した状態を示す斜視図である。
【図４】図３に示すハンガー本体の正面図である。
【図５】図３に示すハンガー本体を複数重ねた状態を示す斜視図である。
【図６】図１に示すハンガー本体を有磁性の竿に取り付けた状態を示す斜視図である。
【図７】図６に示すハンガー本体の正面図である。
【図８】図１に示すハンガー本体を非磁性の竿に取り付けた状態を示す斜視図である。
【図９】図６に示すハンガー本体の正面図である。
【符号の説明】
【００４７】
１０  ハンガー本体
２０  本体部
２７  凹部
２８  凸部
２９  広告取付部
３０  棒状伸縮部材
３１  先端
４０  肩掛け部
４１  長尺体
４５  格納部
４６  係止手段
５０  巻き上げ機構
６０  永久磁石
８０  有磁性の竿
８１  非磁性の竿
９０  ハンガーフック
【図１】
2007289295.tif 000003
【図２】
2007289295.tif 000004
【図３】
2007289295.tif 000005
【図４】
2007289295.tif 000006
【図５】
2007289295.tif 000007
【図６】
2007289295.tif 000008
【図７】
2007289295.tif 000009
【図８】
2007289295.tif 000010
【図９】
2007289295.tif 000011